(57)【要約】【課題】撮影手段による画像の撮影から当該画像のピントが合っているか否かのチェック、そして画像を添付した電子メールの送信までを簡単に行うことができ、さらに画像のピントが合っているか否かのチェックが正確に行える画像送信装置及び送信制御方法を提供する。【解決手段】携帯電話１において、カメラモードにて撮影した画像のピントが合っているか否かの判定を行い（ステップＳ１４）、ピントが合っていると判定した場合には、次に当該画像を添付した電子メールを送信する処理を行う（ステップＳ１５）。【選択図】図３
2005167324.tif 000002
【特許請求の範囲】
【請求項１】
撮影手段と、
前記撮影手段により撮影された画像のピントが合っているか否かを判定する判定手段と、
前記判定手段により画像のピントが合っていると判定された場合に当該画像を送信する送信手段と、
を備えることを特徴とする画像送信装置。
【請求項２】
前記判定手段により画像のピントが合っていないと判定された場合に、画像のピントが合っていない旨を報知する報知手段を更に備えることを特徴とする請求項１に記載の画像送信装置。
【請求項３】
前記判定手段により画像のピントが合っていないと判定された場合に、前記撮影手段を直ちに撮影可能な撮影待機状態にするように制御する制御手段を更に備えることを特徴とする請求項１又は２に記載の画像送信装置。
【請求項４】
前記撮影手段により連続撮影を行わせるように制御する撮影制御手段を更に備え、
前記判定手段は、前記撮影制御手段により前記連続撮影が行われると、連続撮影により撮影された複数の画像の中から最もピントが合っている画像を選択する選択手段を含むことを特徴とする請求項１〜３のいずれか一項に記載の画像送信装置。
【請求項５】
前記判定手段により画像のピントが合っていないと判定された場合、前記撮影手段による撮影条件を調整する調整手段を更に備えることを特徴とする請求項１〜４のいずれか一項に記載の画像送信装置。
【請求項６】
撮影部と、機器外部へ画像を送信するための送信部とを備えた電子機器における送信制御方法であって、
前記撮影部により撮影された画像のピントが合っているか否かを判定する判定ステップと、
この判定ステップにて画像のピントが合っていると判定された場合に前記送信部より当該画像を送信させる送信ステップと、
からなることを特徴とする送信制御方法。
【発明の詳細な説明】
【技術分野】
【０００１】
本発明は、画像送信装置及び送信制御方法に係り、例えば、撮像機能を備えた携帯電話等の通信機器に含まれる画像送信装置及びその送信制御方法に関する。
【背景技術】
【０００２】
近年、携帯電話に、デジタルカメラに代表される撮影手段を備えることにより、手軽に撮影を行い携帯電話単体で再生する利用形態が増加している（例えば、特許文献１参照）。
さらに、このような撮影手段を備えた携帯電話では、撮影手段で撮影した画像を電子メールに添付して簡単に第三者に送信する機能を備えている場合が多い。
【特許文献１】特開２００３−１１０６８１号公報
【発明の開示】
【発明が解決しようとする課題】
【０００３】
しかしながら、このような携帯電話の撮影機能を用いて撮影し、その後、電子メールに添付して第三者に送信する際は、撮影した画像についてピントが合っているか、手ぶれが起きていないか等のチェックを行って、必要であれば修正を行わなければならず、「手軽に撮影し、送信できる。」というメリットが生かされない問題があった。さらに、携帯電話の表示画面では、解像度が低いことや画面が小さいことなどの理由で撮影された画像が良好なものか否かのチェックがし難いという不具合も生じていた。
【０００４】
そこで、本発明の課題は、撮影手段によって撮影された画像について、ピントが合っているか、手ぶれが起きていないか等のチェックを行い、更に、このチェックによって良好と判断された画像を電子メールに添付して送信するまでの一連の処理を簡単に行うことができる画像送信装置及び送信制御方法を提供することを目的とする。
【課題を解決するための手段】
【０００５】
請求項１に記載の発明は、
画像送信装置において、
撮影手段と、
前記撮影手段により撮影された画像のピントが合っているか否かを判定する判定手段と、
前記判定手段により画像のピントが合っていると判定された場合に当該画像を送信する送信手段と、
を備えることを特徴としている。
【０００６】
請求項２に記載の発明は、請求項１に記載の画像送信装置において、
前記判定手段により画像のピントが合っていないと判定された場合に、画像のピントが合っていない旨を報知する報知手段を更に備えることを特徴としている。
【０００７】
請求項３に記載の発明は、請求項１又は２に記載の画像送信装置において、
前記判定手段により画像のピントが合っていないと判定された場合に、前記撮影手段を直ちに撮影可能な撮影待機状態にするように制御する制御手段を更に備えることを特徴としている。
【０００８】
請求項４に記載の発明は、請求項１〜３のいずれか一項に記載の画像送信装置において、
前記撮影手段により連続撮影を行わせるように制御する撮影制御手段を更に備え、
前記判定手段は、前記撮影制御手段により前記連続撮影が行われると、連続撮影により撮影された複数の画像の中から最もピントが合っている画像を選択する選択手段を含むことを特徴としている。
【０００９】
請求項５に記載の発明は、請求項１〜４のいずれか一項に記載の画像送信装置において、
前記判定手段により画像のピントが合っていないと判定された場合、前記撮影手段による撮影条件を調整する調整手段を更に備えることを特徴としている。
【００１０】
請求項６に記載の発明は、
撮影部と、機器外部へ画像を送信するための送信部とを備えた電子機器における送信制御方法であって、
前記撮影部により撮影された画像のピントが合っているか否かを判定する判定ステップと、
この判定ステップにて画像のピントが合っていると判定された場合に前記送信部より当該画像を送信させる送信ステップと、
からなることを特徴としている。
【発明の効果】
【００１１】
請求項１、６に記載の発明によれば、ユーザは撮影した画像のピントが合っているか否かの確認をしなくてもピントの合った画像のみを送信することが可能であり、煩雑な作業なしに簡単、手軽に撮影した画像を送信することができる。
【００１２】
請求項２に記載の発明によれば、ピントが合っていないと判定された場合に、撮影した画像のピントが合っていなかったことをユーザが容易に認識することができる。その結果、ピントの合っていない画像を送信してしまう不具合を防止することができる。
【００１３】
請求項３に記載の発明によれば、ピントが合っていないと判定された場合に、直ちに撮影可能な撮影待機状態にするため、煩雑な作業なしに素早く画像を撮り直すことができる。その結果、ピントの合った同様の画像を簡単に得ることができる。
【００１４】
請求項４に記載の発明によれば、連続撮影が行われると、連続撮影により撮影された複数の画像の中から最もピントが合っている画像を選択するため、煩雑な作業なしにピントが合っている画像を得ることができる。
【００１５】
請求項５に記載の発明によれば、画像のピントが合っていないと判定された場合、撮影手段の撮影条件を自動的に調整するため、当該画像の撮影に最適な撮影条件で撮り直すことができる。その結果、画像の撮り直しの際には、簡単かつ高い確率でピントが合っている画像を得ることができる。
【発明を実施するための最良の形態】
【００１６】
以下、本発明の一実施形態に係る画像送信装置について、図面を参照して説明する。ただし、以下は本発明の一実施形態であって本発明を限定するものではない。
【００１７】
図１は、本発明の一実施形態に係る画像送信装置としての撮影機能付き携帯電話端末（以下携帯電話と称す。）の開状態における外観の正面図と背面図である。この携帯電話１は二つ折りタイプであり、図１の（ａ）は蓋を開いた状態の正面側を示し、図１の（ｂ）は蓋を開いた状態の背面側を示している。
【００１８】
図１の（ａ）に示すように、携帯電話１は蓋を開いた状態の正面側に、受話音声を出力するスピーカ１０１、図形や画像等の各種情報を表示しＱＶＧＡ相当の解像度を有するカラー液晶のメイン表示部１０２、通信サービス会社が採用する携帯用の無線プロトコルで使用する周波数帯に対応する通信用のアンテナ１０３、各種情報の入力や機能指示等を行うキー操作部１００、送話音声を集音するマイク１１４等を備えている。
【００１９】
また、図１の（ｂ）に示すように、携帯電話１は蓋を開いた状態の背面側に、カメラモード等において録音機能を動作させた際に集音するためのマイク１１５、蓋が閉じた状態でも簡単なメッセージをユーザに知らせるためのカラー液晶のサブ表示部１１６、着信或いは警告等を報知する報知用ＬＥＤ１１７、オートフォーカス制御用のステップモータを備え、被写体を撮影するレンズユニット１１８、撮影時において被写体周辺を明るくするために点灯するＬＥＤ１１９、着信音或いは警告音等を出力する報知用スピーカ１２０等を備えている。
【００２０】
さらに、図１の（ａ）に示すキー操作部１００には、各モードにおいて特定の機能を動作させる場合やカメラモードを動作させる場合に操作するカメラキー１０４、メールモードを動作させるためのメールキー１０５、各モードにおいて決定を指示する場合やシャッタ指示の際に操作する決定キー１０６、上下左右方向に指示選択可能であり各モードにおいて選択操作を行い、カメラモードにおいては上下方向をズーム調整、左右方向をＥｖ調整の操作を行うためのカーソルキー１０７、通常の着信待受け状態ではアドレス帳モードを動作させる場合に操作し、カメラモードにおいてはオートフォーカス機能を動作させる場合やフォーカスロックをかける場合に操作するアドレス帳キー１０８、通常の着信待受け状態ではインターネット接続を指示する場合に操作し、カメラモードにおいては、露出時間や感度補正等の撮影条件を変更する場合に操作するＷｅｂキー１０９、各モードにおいて一つ前の状態を指示するためのクリアキー１１０、オフフックキー１１１、オンフック／電源ＯＮ／ＯＦＦキー１１２、文字入力及びダイアル入力を指示するためのテンキー１１３等が配置されている。
【００２１】
図２は、図１に示した携帯電話１の回路構成例を示した回路図である。携帯電話１の回路は、まず、通信サービス会社が採用する無線信号形式（本実施の形態においては、通信方式としてＣＤＭＡ）及び変復調方式（本実施の形態においては、ＱＰＳＫ変復調方式）でアンテナ１０３を介して入力された無線信号について自携帯電話宛の無線信号を抽出し且つ、後述する制御部１２２より出力される各種デジタルデータを無線信号に変換してアンテナ１０３に出力する無線部１２１を備えている。
【００２２】
また、携帯電話１の個別動作及び全体の動作を制御する制御部１２２、破線で囲まれた周辺回路とのデータの転送制御を行うアドレス・データバス処理部１２３、携帯電話１及び撮影手段として必要な各種データ（アドレス帳データや、メールデータ、圧縮符号化された静止画データや動画データ）を記憶し且つ、制御部１２２が動作する上で必要なデータを記憶するＲＡＭ１２４、電気的に書き換え可能なＦｌａｓｈ  ＲＯＭで構成されカメラモードを含む各種モードで動作し画像圧縮伸張処理プログラムを含むアプリケーションソフトウエアを格納するプログラムＲＯＭ１２５、デジタルデータ化されたメロディ音源情報を格納する音源ＩＣ１２６、音源ＩＣ１２６から出力された音源を増幅して報知用スピーカ１２０に伝達するアンプ（ＡＭＰ）１２７等を備えている。
【００２３】
さらに、メイン表示部１０２、サブ表示部１１６、報知用ＬＥＤ１１７及びＬＥＤ１１９の各種報知／表示出力を制御する表示モジュール系ドライバ１２８、後述する撮像デバイス１３０から出力されるアナログの電気信号をデジタル信号に変換するＤＳＰ１２９、ＣＣＤやＣＭＯＳで構成され、レンズユニット１１８を介して撮像したイメージを電気信号にして出力する撮像デバイス１３０、制御部１２２により制御されレンズユニット１１８のステップモータの駆動を制御するモータ制御部１３１等を備えている。
【００２４】
また、制御部１２２には、無線部１２１より入力されたデータについて予め設定された端末認証方式に基づいてデータの入出力を許可し、音声データや、メールデータ、静止画データ、動画データを含むパケットデータの入出力制御を行う通信データ処理部１２２１、自携帯電話１に設定された電話番号やメールアドレスを含む加入者や端末固有に設定された認証データを記憶し、通信プロトコル処理プログラムを記憶するシステムＲＯＭ１２２２、音声通話や録音の際にマイク１１４、１１５から入力された音声をＣＥＬＰ系音声符号化方式に基づいて圧縮符号化し、一方では、音声通話処理や動画再生に伴い、通信データ処理部１２２１やアドレス・データバス処理部１２３より入力された圧縮音声データを復号化処理し、スピーカ１０１より出力させる処理を行うオーディオインターフェイス１２２３等が含まれている。
【００２５】
また、この携帯電話１には、前記したように撮影手段としてデジタルカメラが備えられている。本実施の形態の撮影手段は、前記制御部１２２、ＲＡＭ１２４、撮影レンズ１１８、撮像デバイス１３０、ＤＳＰ１２９、メイン表示部１０２、ＬＥＤ１１９、カメラキー１０４及び決定キー１０６を含むキー操作部１００等により構成されている。
【００２６】
また、この携帯電話１には、送信手段としてのメール送信手段が備えられている。本実施の形態のメール送信手段は、前記制御部１２２、ＲＡＭ１２４、メイン表示部１０２、メールキー１０５及びアドレス帳キー１０８を含むキー操作部１００等により構成されている。
【００２７】
そして、本実施の形態の撮影手段は、メール送信手段と連動して、撮影した画像を電子メールに自動的に添付して送信可能にする「撮影＆簡単メール送信モード」を備えている。また、この「撮影＆簡単メール送信モード」においては、撮影した画像を電子メールに添付する前に、撮影された画像についてピントが合っているかや手ぶれを起こしていないかの判定を自動的に行うようになっており、この判定は制御部１２２により行われる。
【００２８】
本実施の形態では、カメラモードにおいて撮影可能状態となっている間は、ユーザが撮影を行う操作をしなくても、所定期間毎に撮影レンズ１１８を介して撮像デバイス１３０に画像を取り込んでメイン表示部１０２にモニター表示する処理を行うようになっている。そして、ユーザによる決定キー１０６の操作を検出した場合には、その操作検出時に取り込みＲＡＭ１２４に記憶した画像と、画像撮影時の直前（又は直後）に撮像デバイス１３０によって取り込まれ、ＲＡＭ１２８に記憶された画像の双方を最大倍率でズーム化し、双方の画像中から自動的に検出された複数箇所で画像の比較を行うようになっている。なお、画像をズーム化する倍率は、必ずしも最大倍率でなくても良く、撮影条件や画像の状態等により適宜の倍率にすれば良い。
【００２９】
前記比較の結果、双方の画像におけるずれ幅が予め定められた所定量より少ない場合には、ピントが合っていると判定するようになっており、また、双方の画像におけるずれ幅が予め定められた所定量以上である場合には、手ぶれ等によりピントが合っていない状態であると判定するようになっている。
【００３０】
そして、ピントが合っていると判定された場合にのみ、メール送信手段により、当該画像を添付した電子メールを送信するようになっている。本実施の形態では、ピントが合っていると判定された場合には、自動的にメールモードを動作させ、さらに前記画像を添付した状態のメール作成画面を表示するようになっている。ここに、相手先のアドレス、本文等を書き込むことにより間単に画像添付メールを送信することができるものである。
【００３１】
また、この携帯電話１には、ピントが合っていないと判定された場合に、ピントが合っていない旨のアラート（報知）を行うための報知手段が備えられている。本実施の形態では、報知手段として、スピーカ１２０及びメイン表示部１０２を有しており、スピーカ１２０から所定の報知音が出力されると共にメイン表示部１０２の画面上にピントが合っていない旨の表示がなされるようになっている。
【００３２】
次に、以上のように構成された携帯電話１において、画像撮影から撮影した画像を添付した電子メールを送信するまでの動作及び制御部１２２が行う処理の第一の例について、図３に示すフローチャートを用いて説明する。
【００３３】
まず、ユーザがキー操作部１００のカメラキー１０４を操作してカメラモードを動作させる。さらに所定のキー操作を行うことにより、撮影手段としてのデジタルカメラで撮影した画像を電子メールに自動的に添付して送信可能にする撮影＆簡単メール送信モードに切り替える（ステップＳ１１）。
【００３４】
次に、ユーザが被写体にレンズユニット１１８を向けて決定キー１０６を操作する等によりデジタルカメラでの撮影を行う。撮影した画像データは、ＤＳＰ１２９でデジタル化してＲＡＭ１２４に取り込み、記憶される。また、この決定キー１０６の操作検出に前後して撮像デバイス１３０に取り込まれた画像データもＲＡＭ１２４に記憶される（ステップＳ１２）。
【００３５】
次に、制御部１２２により、撮影した画像のピントが合っているか否かの判定を自動的に行う。本実施の形態では、ユーザが決定キー１０６を操作しなくても、所定期間毎に撮影レンズ１１８を介して撮像デバイス１３０に画像を取り込む処理を行っている。そして、撮影してＲＡＭ１２４に取り込んだ画像を最大倍率でズーム化した（ステップＳ１３）ものと、画像撮影時の直前又は直後に撮像デバイス１３０に取り込まれ、最大倍率でズーム化したものとを、双方の画像中から自動的に検出された複数箇所で比較する（ステップＳ１４）。
【００３６】
そして、双方の画像におけるずれ幅が予め定められた所定量より少ない場合には、ピントが合っていると判定し、次に当該画像を添付した電子メールを送信する処理を行う（ステップＳ１５）。本実施の形態では、自動的にメールモードを動作させ、さらに前記画像を添付した状態のメール作成画面を表示するようになっている。
【００３７】
一方、双方の画像におけるずれ幅が予め定められた所定量以上である場合には、手ぶれ等によりピントが合っていない状態であると判定する。そして、報知手段によりピントが合っていない旨のアラート（報知）が行われるようになっている（ステップＳ１６）。この例では、スピーカ１２０から所定の報知音が出力されると共に画面上にピントが合っていない旨の表示がなされるようになっている。また、当該ピントの合っていない画像も表示される。さらに、ピントが合っていない状態となった原因やピントが合った状態とするためのアドバイスを報知するようになっていても良い。具体的には、画面上に「手ぶれ注意」等の表示がなされる場合が挙げられる。
【００３８】
そして、前記ピントの合っていない画像を添付して電子メールを送信するか否かの判断が画面上で求められ（ステップＳ１７）、そのまま送信しても良い場合には前記したステップＳ１５の電子メールを送信する処理を行う。
【００３９】
また、ピントの合っていない画像を添付してメール送信してはいけないと判断した場合には、当該画像データを削除して（ステップＳ１８）、再度、画像の撮影を行う処理（ステップＳ１２）に戻る。
【００４０】
次に、前記携帯電話１において、画像撮影から撮影した画像を添付した電子メールを送信するまでの動作及び制御部１２２が行う処理の第二の例について、図４に示すフローチャートを用いて説明する。
この第二の例では、前記制御部１２２により画像のピントが合っていないと判定された場合に、制御部１２２が前記撮影手段を直ちに撮影可能な撮影待機状態にするものである。
【００４１】
まず、第一の例のＳ１１と同様に、カメラモードを動作させ、さらに撮影＆簡単メール送信モードに切り替える（ステップＳ２１）。
【００４２】
次に、第一の例のＳ１２と同様に、デジタルカメラでの撮影を行うと、撮影した画像データはＲＡＭ１２４に取り込み、記憶される。また、この決定キー１０６の操作検出に前後して撮像デバイス１３０に取り込まれた画像データもＲＡＭ１２４に記憶される（ステップＳ２２）。
【００４３】
次に、第一の例と同様に、制御部１２２により、撮影した画像のピントが合っているか否かの判定を自動的に行う。この例においても、ユーザが決定キー１０６を操作しなくても、所定期間毎に撮影レンズ１１８を介して撮像デバイス１３０に画像を取り込む処理を行っている。そして、撮影してＲＡＭ１２４に取り込んだ画像を最大倍率でズーム化した（ステップＳ２３）ものと、画像撮影時の直前又は直後に撮像デバイス１３０に焼き付けられた画像を最大倍率でズーム化したものとを、双方の画像中から自動的に検出された複数箇所で比較する（ステップＳ２４）。
【００４４】
そして、第一の例と同様に、双方の画像におけるずれ幅が予め定められた所定量より少ない場合には、ピントが合っていると判定し、第一の例のＳ１５と同様に、当該画像を添付した電子メールを送信する処理を行う（ステップＳ２５）。
【００４５】
一方、双方の画像におけるずれ幅が予め定められた所定量以上である場合には、手ぶれ等によりピントが合っていない状態であると判定する。そして、この第二の例においては、ピントが合っていないと判定された場合には、自動的にデジタルカメラを直ちに撮影可能な撮影待機状態（自動再撮影状態）にするようになっている（ステップＳ２６）。また、この例では、自動的に撮影条件の設定を変えて再度撮影を行うための処理がなされるようになっている。例えば、Ｓ２４の判定におけるピントのずれ度合い等から判断して、撮像デバイス１３０や、モータ制御部１３１に制御信号を送り、シャッタスピードを早くするようにしたり、ステップモータを調整したりして撮影条件を変更する場合が挙げられる。
【００４６】
また、撮影条件の変更に代えて、自動的に連続撮影が可能な状態にするようになっていても良い。この場合には、連続撮影が行われた際に、当該撮影された複数の画像の中から自動的に最もピントが合っている画像を選択して電子メールに添付されるようになっている。なお、自動再撮影状態では、撮影条件を再設定し、さらに連続撮影が可能な状態にするようになっていても良い。
【００４７】
そして、前記Ｓ２６の撮影条件で再度撮影された画像を添付してメール送信するか否かの判断が画面上で求められ（ステップＳ２７）、再撮影された画像でメール送信しても良い場合には前記したステップＳ２５の電子メールを送信する処理を行う。なお、再撮影された画像に対しても前記Ｓ２２〜Ｓ２４の処理がなされており、ここでピントが合っていない画像は添付されないようになっている。
【００４８】
また、再撮影された画像を添付してメール送信しないと判断した場合には、当該画像データを削除して、もう一度、画像の撮影を行う処理（ステップＳ２２）に戻る。
【００４９】
次に、前記携帯電話１において、画像撮影から撮影した画像を添付した電子メールを送信するまでの動作及び制御部１２２が行う処理の第三の例について、図５に示すフローチャートを用いて説明する。
この第三の例では、前記制御部１２２により画像のピントが合っていないと判定された場合に、制御部１２２が画像データを自動的にＲＡＭ１２４に設けられた一時避難用ボックスに移動させ、さらに一時避難用ボックスの中のデータが一定量以上になった場合に、制御部１２２によりデータが一定量以上となった旨を報知するものである。
【００５０】
まず、第一の例のＳ１１と同様に、カメラモードを動作させ、さらに撮影＆簡単メール送信モードに切り替える（ステップＳ３１）。
【００５１】
次に、第一の例のＳ１２と同様に、デジタルカメラでの撮影を行うと、撮影した画像データはＲＡＭ１２４に取り込み、記憶される。また、この決定キー１０６の操作検出に前後して撮像デバイス１３０に取り込まれた画像データもＲＡＭ１２４に記憶される（ステップＳ３２）。
【００５２】
次に、第一の例と同様に、制御部１２２により、撮影した画像のピントが合っているか否かの判定を自動的に行う。この例においても、ユーザが決定キー１０６を操作しなくても、所定期間毎に撮影レンズ１１８を介して撮像デバイス１３０に画像を取り込む処理を行っている。そして、撮影してＲＡＭ１２４に取り込んだ画像を最大倍率でズーム化した（ステップＳ３３）ものと、画像撮影時の直前又は直後に撮像デバイス１３０に焼き付けられた画像を最大倍率でズーム化したものとを、双方の画像中から自動的に検出された複数箇所で比較する（ステップＳ３４）。
【００５３】
そして、第一の例と同様に、双方の画像におけるずれ幅が予め定められた所定量より少ない場合には、ピントが合っていると判定し、第一の例のＳ１５と同様に、当該画像を添付した電子メールを送信する処理を行う（ステップＳ３５）。
【００５４】
一方、双方の画像におけるずれ幅が予め定められた所定量以上である場合には、手ぶれ等によりピントが合っていない状態であると判定する。そして、第一の例のＳ１６と同様に、報知手段によりピントが合っていない旨のアラート（報知）が行われるようになっている（ステップＳ３６）。また、当該ピントの合っていない画像も第一の例と同様に表示される。
【００５５】
そして、第一の例のＳ１７と同様に、前記ピントの合っていない画像を添付して電子メールを送信するか否かの判断が画面上で求められ（ステップＳ３７）、そのまま送信しても良い場合には前記したステップＳ３５の電子メールを送信する処理を行う。
【００５６】
また、ピントの合っていない画像を添付してメール送信してはいけないと判断した場合には、当該画像データを一時避難用ボックス（所謂ゴミ箱）に移動させる（ステップＳ３８）。それから、ゴミ箱のデータ容量が一定量以上（データフル）になったか否かの判定を行い（ステップＳ３９）、ゴミ箱のデータ容量がまだ一定量に達していない場合にはそのまま、再度、画像の撮影を行う処理（ステップＳ３２）に戻る。
【００５７】
一方、ゴミ箱のデータ容量が一定量以上（データフル）になっている場合には、報知手段によりゴミ箱のデータ容量が一定量以上となった旨のアラート（報知）が行われた後に（ステップＳ４０）、当該ゴミ箱内のデータを削除して（ステップＳ４１）、再度、画像の撮影を行う処理（ステップＳ３２）に戻る。
【００５８】
なお、前記した第一の例、第二の例、第三の例はそれぞれ単独で行われるだけでなく、それぞれが複合して行われても良い。例えば、ピントの合っていない画像の画像データは第三の例のように一旦、一時避難用ボックスに移動するようになっており、それと同時に第二の例のように撮影条件を変化させて再撮影を行うようになっていても良い。
【００５９】
以上のように、本実施の形態における画像送信装置によれば、ユーザは撮影した画像のピントが合っているか否かの確認をしなくてもピントの合った画像のみをメール送信することが可能であり、煩雑な作業なしに簡単、手軽に撮影した画像をメール送信することができる。
【００６０】
また、本実施の形態では、ピントが合っていないと判定された場合に、撮影した画像のピントが合っていなかったことをユーザが容易に認識することができる。その結果、ピントの合っていない画像をメール送信してしまう不具合を防止することができる。
【００６１】
さらに、本実施の形態では、ピントが合っていないと判定された場合に、直ちに撮影可能な撮影待機状態にするため、煩雑な作業なしに素早く画像を撮り直すことができる。
その結果、ピントの合った同様の画像を簡単に得ることができる。
【００６２】
またさらに、本実施の形態では、連続撮影が行われると、連続撮影により撮影された複数の画像の中から最もピントが合っている画像を選択するため、煩雑な作業なしにピントが合っている画像を得ることができる。
【００６３】
また、本実施の形態では、画像のピントが合っていないと判定された場合、撮影手段の撮影条件を自動的に調整するため、当該画像の撮影に最適な撮影条件で撮り直すことができる。
その結果、画像の撮り直しの際には、簡単かつ高い確率でピントが合っている画像を得ることができる。
【００６４】
さらに、本実施の形態では、画像のピントが合っていないと判定された場合に、当該画像データを自動的に一時避難用ボックスに移動させるため、ピントの合っていない画像を完全に削除する前に削除して良いか否かの確認を行うことができる。
その結果、ピントが合っていなくても必要な画像を削除してしまうことを防止できる。
また、一時避難用ボックスの中のデータが一定量以上になった場合に、データが一定量以上となった旨を報知するため、不要な画像データでデータ容量が埋まってしまうことを防止できる。
その結果、携帯電話におけるデータ容量を効率よく用いることができる。
【００６５】
なお、本発明に係る画像送信装置としては、前記した実施形態に限るものではなく、他の構成のものにも適用可能である。
【図面の簡単な説明】
【００６６】
【図１】（ａ）は本発明の一実施形態に係る携帯電話の蓋を開いた状態の正面図である。  （ｂ）は本発明の一実施形態に係る携帯電話の蓋を開いた状態の背面図である。
【図２】図１の携帯電話の回路構成例を示す回路図である。
【図３】図１の携帯電話における画像撮影から画像添付メールの送信までの流れの第一の例を示すフローチャートである。
【図４】図１の携帯電話における画像撮影から画像添付メールの送信までの流れの第二の例を示すフローチャートである。
【図５】図１の携帯電話における画像撮影から画像添付メールの送信までの流れの第三の例を示すフローチャートである。
【符号の説明】
【００６７】
１      携帯電話（画像送信装置）
１００  キー操作部
１０２  メイン表示部（報知手段）
１０３  アンテナ（送信手段、送信部）
１０４  カメラキー
１０５  メールキー
１０６  決定キー
１０８  アドレス帳キー
１１８  レンズユニット（撮影手段、撮影部）
１１９  ＬＥＤ
１２０  報知用スピーカ（報知手段）
１２１  無線部（送信手段）
１２２  制御部（判定手段、制御手段、撮影制御手段、選択手段、調整手段）
１２４  ＲＡＭ
１２９  ＤＳＰ
１３０  撮像デバイス（撮影手段）
【図１】
2005167324.tif 000003
【図２】
2005167324.tif 000004
【図３】
2005167324.tif 000005
【図４】
2005167324.tif 000006
【図５】
2005167324.tif 000007